(57)【要約】【課題】  ユーザはフォルダを開かずともフォルダに束ねられた電子ペーパーＥＰが記憶するコンテンツを把握することができ、また、電子ペーパーＥＰ間でのコンテンツデータの転送等といったデータ処理を可能にする。【解決手段】  コンテンツデータを記憶した電子ペーパーＥＰをフォルダ型データ処理装置３０に保持させると、当該コンテンツのサムネイル画像Ｓがフォルダ表示部３６に一覧表示される。また、ユーザが操作部３８を操作して、サムネイル画像Ｓを選択し転送命令を入力すると、選択された転送元電子ペーパーから転送先電子ペーパーへコンテンツデータが送信され、また、消去命令を入力すると、同じコンテンツデータが電子ペーパー間で同期して消去される。【選択図】  図８
2006039834.tif 000002
【特許請求の範囲】
【請求項１】
コンテンツ画像を無電源状態で表示保持する表示記録媒体を複数枚束ねて保持するフォルダ型データ処理装置であって、
前記表示記録媒体は、コンテンツ画像を無電源状態で表示保持する表示部と、フォルダ型データ処理装置とデータ通信を行う通信部と、コンテンツデータを記憶する記憶部と、当該記憶部に記憶されたコンテンツデータに基づいて前記表示部にコンテンツ画像を書き込む書き込み部とを有しており、
前記フォルダ型データ処理装置は、画像を表示するフォルダ表示部と、保持した表示記録媒体とデータ通信を行うフォルダ通信部と、前記表示記録媒体から取得したコンテンツデータに基づいて当該コンテンツを特定するためのデータを生成する特定データ生成部と、生成された特定データに基づいてコンテンツを特定するための画像を前記フォルダ表示部に表示する表示処理部とを有していることを特徴とするフォルダ型データ処理装置。
【請求項２】
コンテンツ画像を無電源状態で表示保持する表示記録媒体を複数枚束ねて保持するフォルダ型データ処理装置であって、
前記表示記録媒体は、コンテンツ画像を無電源状態で表示保持する表示部と、フォルダ型データ処理装置とデータ通信を行う通信部と、コンテンツデータ及び当該コンテンツと特定するための特定データを記憶する記憶部と、当該記憶部に記憶されたコンテンツデータに基づいて前記表示部にコンテンツ画像を書き込む書き込み部とを有しており、
前記フォルダ型データ処理装置は、画像を表示するフォルダ表示部と、保持した表示記録媒体とデータ通信を行うバインダ通信部と、前記表示記録媒体から取得した特定データに基づいて前記フォルダ表示部にコンテンツを特定するための画像を表示する表示処理部とを有していることを特徴とするフォルダ型データ処理装置。
【請求項３】
請求項１又は請求項２に記載のフォルダ型データ処理装置において、
前記フォルダ型データ処理装置は、一枚の表示記録媒体が記憶する複数ページのコンテンツデータについて、各ページを特定するための複数の画像を前記フォルダ表示部に一覧表示することを特徴とするフォルダ型データ処理装置。
【請求項４】
請求項１又は請求項２に記載のフォルダ型データ処理装置において、
前記フォルダ型データ処理装置は、複数枚の表示記録媒体がそれぞれ記憶する各コンテンツデータについて、各コンテンツを特定するための複数の画像を前記フォルダ表示部に一覧表示することを特徴とするフォルダ型データ処理装置。
【請求項５】
請求項１乃至請求項４のいずれか１項に記載のフォルダ型データ処理装置において、
前記特定データはコンテンツのサムネイルデータであり、
前記表示処理部は前記フォルダ表示部にコンテンツのサムネイル画像を表示することを特徴とするフォルダ型データ処理装置。
【請求項６】
請求項１乃至請求項４のいずれか１項に記載のフォルダ型データ処理装置において、
前記特定データはコンテンツの名称データであり、
前記表示処理部は前記フォルダ表示部にコンテンツの識別情報を画像表示することを特徴とするフォルダ型データ処理装置。
【請求項７】
請求項１乃至請求項６のいずれか１項に記載のフォルダ型データ処理装置において、
前記フォルダ型データ処理装置は、フォルダ表示部に表示された一の表示記録媒体に記憶されたコンテンツデータを特定するための画像を選択するユーザ入力を受け付ける操作部と、当該操作部により選択された画像で特定されるコンテンツデータを他の表示記録媒体へ提供するデータ提供部とを有することを特徴とするフォルダ型データ処理装置。
【請求項８】
請求項１乃至請求項７のいずれか１項に記載のフォルダ型データ処理装置において、
前記フォルダ型データ処理装置は、フォルダ表示部に表示された一の表示記録媒体に記憶されたコンテンツデータを特定するための画像を選択するユーザ入力を受け付ける操作部と、当該操作部により選択された画像で特定されるコンテンツデータを他の表示記録媒体から消去させる消去部とを有することを特徴とするフォルダ型データ処理装置。
【請求項９】
請求項１乃至請求項８のいずれか１項に記載のフォルダ型データ処理装置において、
フォルダ型データ処理装置は表示記録媒体をフォルダ表示部として備え、
当該フォルダ表示部としての表示記録媒体を複数枚束ねた他の表示記憶媒体に重ねて、クリップ型のフォルダ本体部で保持してなることを特徴とするフォルダ型データ処理装置。
【発明の詳細な説明】
【技術分野】
【０００１】
本発明は、コンテンツデータを記憶し且つ表示部に自己でコンテンツ画像を書き込んで無電源状態で表示保持する機能を有する表示記録媒体を複数枚束ねて保持するフォルダ型データ処理装置に関し、特に、表示記録媒体に記憶されているコンテンツを特定する情報の表示、表示記録媒体間でのコンテンツの授受、表示記録媒体間でのコンテンツの同期消去等といったデータ処理を行う装置に関する。
【背景技術】
【０００２】
コンテンツには、ネットワークから取得したテキストや画像と言った情報の他に、文書処理装置で作成された文書等と言った種々な情報があるが、このようなコンテンツは、当該コンテンツ画像をパーソナルコンピュータのディスプレイ画面に表示する、或いは、当該コンテンツ画像をプリンタによって紙媒体（用紙）に印刷すると言った方法でユーザの閲覧に供されている。
【０００３】
このようなコンテンツ閲覧において、コンテンツ画像をディスプレイ画面に表示する方法に較べて、コンテンツ画像を用紙に印刷して表示する方法は、何時でも何処にでも容易に持ち運びすることができ、無電源の状態でコンテンツ画像を閲覧することができ、しかも、複数枚の用紙に印刷することにより複数のコンテンツ画像を同時に閲覧することができるという利点がある。
【０００４】
近年では、紙媒体である用紙にとって代わることが可能なコンテンツ画像閲覧のための表示記録媒体として、コンテンツ画像を表示部に無電源状態で表示保持することができ且つ用紙の如く柔軟な薄型で持ち運び自在である電子ペーパーが開発されている。
電子ペーパーは、無電源状態で画像を表示保持する表示部を有した表示装置であり、電子データに基づいて自己でコンテンツ画像を表示部に書き込む機能を有する自己書き込み型の電子ペーパーがある。
このような電子ペーパーは、用紙と異なって表示部に表示保持した画像を消去したり上書きすることが可能であり、表示保持するコンテンツ画像を更新したり消去して、繰り返し使用することができるので紙資源の節約等の観点からも利用促進が望まれている。
【０００５】
ここで、電子ペーパーに関して、電子ペーパーを電子ペーパーファイルに着脱可能とし、電子ペーパーファイルが装着された電子ペーパーに対して表示用データを書き込む発明が提案されている（特許文献１参照。）。
また、電子ブックと言った電子表示装置において、表示部に表示可能なコンテンツを一覧表示する場合に、コンテンツの数が多いときには各コンテンツを小さなサムネイル画像化して表示する発明が提案されている（特許文献２参照。）。
【特許文献１】特開２００１―３１２２２７号公報
【特許文献２】特開２００３―２７１６６４号公報
【発明の開示】
【発明が解決しようとする課題】
【０００６】
用紙のように扱うことができる表示記録媒体は、用紙についての取り扱いと同様に複数枚を束ねてフォルダに纏めて、持ち運びや保管し、また、閲覧できるようにすることが望まれる。
この場合、フォルダを一見しただけでは、ユーザがフォルダを一見しただけでは、フォルダにどのようなコンテンツを含んだ表示記録媒体が束ねられているかを把握することができず、複数枚の用紙を束ねた従前のフォルダと同様の不便さがあった。
【０００７】
また、表示記録媒体は表示部に表示保持しているコンテンツの他に書き換えて表示保持することができるコンテンツデータも記憶しているが、このような表示状態にないコンテンツについてはフォルダを開いて表示記録媒体を捲っても確認することができず、結局は、表示記録媒体を一枚ずつ操作して記憶しているコンテンツを順に表示させなければならないという不便さがあった。
【０００８】
表示記録媒体はコンテンツデータを記憶し表示処理する機能等の用紙にはないデータ処理能力を有しているが、複数枚の表示記録媒体を束ねるフォルダにより表示記録媒体にコンテンツデータを書き込む発明が提案されている程度で、表示記録媒体の有するデータ処理機能をより有効に活用して使い勝手を向上させ、表示記録媒体の利用を促進することが望まれている。
【０００９】
本発明は、上記従来の事情に鑑みなされたもので、コンテンツデータを記憶し且つ表示部に自己でコンテンツ画像を書き込んで無電源状態で表示保持する機能を有する表示記録媒体を複数枚束ねて保持し、当該表示記録媒体が記憶しているデータを処理することによりユーザの使い勝手を向上させるフォルダ型データ処理装置を提供することを目的としている。
より具体的には、本発明は、フォルダ型データ処理装置を操作することで、例えば、束ねられた表示記録媒体が記憶しているコンテンツを特定する情報の表示、表示記録媒体間でのコンテンツの授受、表示記録媒体間でのコンテンツの同期消去等といったデータ処理を行い、コンテンツデータの視覚化、転送、消去等を実現することを目的としている。
【課題を解決するための手段】
【００１０】
本発明は、コンテンツ画像を無電源状態で表示保持する表示記録媒体を複数枚束ねて保持するフォルダ型データ処理装置であり、これら表示記録媒体は、コンテンツ画像を無電源状態で表示保持する表示部と、フォルダ型データ処理装置とデータ通信を行う通信部と、コンテンツデータを記憶する記憶部と、当該記憶部に記憶されたコンテンツデータに基づいて表示部にコンテンツ画像を書き込む書き込み部とを有している。
なお、本発明では、典型的には後述するような自己書き込み型電子ペーパーを用いるが、上記の各機能を有する薄型の表示記録媒体であれば本発明に適用することができる。
【００１１】
そして、本発明に係るフォルダ型データ処理装置は、画像を表示するフォルダ表示部と、保持した表示記録媒体とデータ通信を行うフォルダ通信部と、表示記録媒体から取得したコンテンツデータに基づいて当該コンテンツを特定するためのデータを生成する特定データ生成部と、生成された特定データに基づいてコンテンツを特定するための画像（サムネイル、ファイルネイ、ページ名）をフォルダ表示部に表示する表示処理部とを有しており、生成したコンテンツ特定画像（例えば、コンテンツのサムネイル、コンテンツファイルの名称、複数ページを含むコンテンツのページサムネイルや名称）をフォルダ装置の表表紙等に設けたフォルダ表示部に表示して、どのようなコンテンツを含んだ表示記録媒体が束ねられているかをユーザがフォルダを一見して把握できるようにする。
【００１２】
また、表示記録媒体が記憶部にコンテンツデータ及び当該コンテンツと特定するための特定データを記憶している態様では、本発明に係るフォルダ型データ処理装置は、画像を表示するフォルダ表示部と、保持した表示記録媒体とデータ通信を行うバインダ通信部と、表示記録媒体から取得した特定データに基づいてフォルダ表示部にコンテンツを特定するための画像を表示する表示処理部とを有しており、上記と同様に、特定画像をフォルダ装置に設けたフォルダ表示部に表示して、どのようなコンテンツを含んだ表示記録媒体が束ねられているかをユーザがフォルダを一見して把握できるようにする。
【００１３】
更に、本発明において、フォルダに纏めて保持された複数枚の表示記録媒体について、その内の一枚の表示記録媒体に記録されているコンテンツを特定する画像をフォルダ表示部に表示するようにしてもよいが、複数枚の表示記録媒体がそれぞれ記憶する各コンテンツを特定する複数の画像をフォルダ表示部に一覧表示して、どのようなコンテンツが束ねられているかを一見して把握できるようにユーザに提示する。
更に、本発明において、一枚の表示記録媒体が記憶する複数ページのコンテンツデータを記憶している場合には、フォルダ型データ処理装置は各ページを特定するための複数の画像をフォルダ表示部に一覧表示して、表示記録媒体の表示部に可視化されていないコンテンツページを可視化してユーザに提示する。
【００１４】
更に、本発明では、フォルダ型データ処理装置は、フォルダ表示部に表示された一の表示記録媒体に記憶されたコンテンツデータを特定するための画像を選択するユーザ入力を受け付ける操作部と、当該操作部により選択された画像で特定されるコンテンツデータを他の表示記録媒体へ提供するデータ提供部とを有しており、フォルダに束ねて保持されている表示記憶媒体間でユーザ操作に応じてコンテンツデータを授受させることができる。
したがって、フォルダに纏められた表示記録媒体間でコンテンツを複写する操作を行うことができ、フォルダ内の白紙状態の表示記録媒体に所望のコンテンツを複写して会議出席者に配布すると言った利用を行うことができる。
【００１５】
更に、本発明では、フォルダ型データ処理装置は、フォルダ表示部に表示された一の表示記録媒体に記憶されたコンテンツデータを特定するための画像を選択するユーザ入力を受け付ける操作部と、当該操作部により選択された画像で特定されるコンテンツデータを他の表示記録媒体から消去させる消去部とを有しており、フォルダに束ねて保持されている表示記憶媒体間でユーザ操作に応じてコンテンツの消去処理を同期して行うことができる。
したがって、フォルダに纏められた表示記録媒体間でコンテンツを同期して消去する操作を行うことができ、フォルダ内の不要コンテンツを統一して整理することができる。
【００１６】
ここで、本発明に係るフォルダ型データ処理装置は、背表紙部に表表紙部及び裏表紙部を一体的に備えたフォルダ形状に構成する他、主要な機能部を備えたフォルダ本体部をクリップ形状に構成するとともにフォルダ表示部用の表示記録媒体を用い、コンテンツを記憶した表示記憶媒体の束の上にフォルダ表示部用の表示記録媒体を重ねて、これらをクリップ形状のフォルダ本体部で挟んで保持する構成としてもよい。すなわち、表示記録媒体は表示部に電子データに基づいて画像を自己で書き込む機能を有するので、これをフォルダ本体部が利用するフォルダ表示部として用いるようにしてもよい。
【発明の効果】
【００１７】
本発明によると、フォルダに束ねられた複数枚の表示記録媒体が記憶するコンテンツをフォルダ表示部に表示するようにしたため、ユーザはフォルダを開かずともどのようなコンテンツが綴じ込まれているかを容易に把握することができる。
また、本発明によると、フォルダに束ねられた複数枚の表示記録媒体間でコンテンツデータの転送や同期消去等のデータ処理を行うようにしたため、表示記憶媒体の利便性を向上させることができコンテンツ画像の表示保持媒体としての利用を促進することができる。
【発明を実施するための最良の形態】
【００１８】
本発明を一実施例に基づいて具体的に説明する。
まず、本発明に利用される表示記録媒体の一例について、基本的な構成を図１２〜図１４を参照して説明する。
図１２〜図１４に示す表示記録媒体は自己書き込み型電子ペーパーと称せられる媒体であり、電子ペーパーと称せられるように紙の様に薄型の装置である。
【００１９】
図１２（ａ）には自己書き込み型電子ペーパーＥＰを正面視して示し、同図（ｂ）には当該自己書き込み型電子ペーパーＥＰを側面視で示してある。図示の電子ペーパーＥＰはコンテンツ画像を表示保持する表示部２と本発明に係る通信や画像書き込み処理等の種々な処理を司る処理部３とを有しており、同図（ａ）には処理部３に内蔵されている諸機能部も表してある。
電子ペーパーＥＰは、例えばＡ４版の用紙のような大きさのフレキシブルな薄型表示装置であり、大部分の面積を占める表示部２の一片に処理部３が設けられている。なお、表示部２の大きさは用途に応じた大きさのものとされ、表示部２と処理部３とを着脱可能とした構成とすることもできる。
【００２０】
処理部３には、表示部２を駆動するドライバ４、外部とデータ通信するための通信部５、電子データを読み書き自在に保持するメモリ６、本発明に係る種々な処理を司るプロセッサ７、通信部５やプロセッサ７等の駆動電力を供給するバッテリ８、表示部２への画像書き込み指示等のユーザ操作入力を受け付けるボタン等の操作部９が設けられている。
自己書き込み型電子ペーパーＥＰの通信部５は接続端子を有する通信部であり、後述するようにフォルダ型データ処理部との間でメモリ６に記憶する電子データ（コンテンツ画像データ、コンテンツを特定するためのデータ等）を送受信することができる。なお、自己書き込み型電子ペーパーＥＰは、例えば、通信部５に無線通信機能を備えて、外部の無線通信機能を有する装置と通信部５で無線通信することにより、メモリ６に記憶する電子データ（コンテンツ画像データ、コンテンツを特定するためのデータ等）を送受信し、また、これら電子データをメモリ６に保持することができる。
【００２１】
更に、自己書き込み型電子ペーパーＥＰは、メモリ６に保持したコンテンツ画像等の画像データに基づいてドライバ４が表示部２に画像を書き込むことことができ、ドライバ４の駆動電力を除去しても表示部２に画像を表示状態で保持し続ける機能を有している。
自己書き込み型電子ペーパーＥＰは、表示部２の断面構造を表す図１４に示すように、複写機にトナーとして利用されている微細な着色粒子（図示の例では、白色粒子１１と黒色粒子１２）を少なくとも表面側が透明な表裏一対の電極１３間に封入し、これを少なくとも表面側が透明な表裏一対のフィルム基板１４で挟んだ構造となっている。着色粒子１１、１２が自由に移動できるように電極層１３間は空気層となっており、また、マトリックス状の電極層１３には着色粒子１１、１２との接触を防止する絶縁層１５が設けられている。なお、カラーフィルターを用いることにより、簡単な構造でカラー表示を実現することも可能である。
【００２２】
そして、自己書き込み型電子ペーパーＥＰは、表示部２の動作原理を表す図１３に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子１１と黒色粒子１２との位置関係が入れ替わって、表示部２に白色粒子１１と黒色粒子２とのコントラストによるコンテンツ画像が表示される。なお、異なるデータに基づいてドライバ４を動作させることにより、白色粒子１１と黒色粒子１２とのコントラストにより表示部２に表示される画像情報を切り換えることができ、幾度も再使用することができる。
【００２３】
したがって、自己書き込み型電子ペーパーＥＰは、紙のように薄く柔軟である性質に加えて、表示部２に表示した画像情報を無電源保持する性質があるので、あたかも用紙の如く用いることができる携帯可能な表示記録媒体である。
更に、本例の自己書き込み型電子ペーパーＥＰは、通信機能、メモリ機能、データ処理機能等を備えるので、後述するように本発明に係るコンテンツ画像の表示、転送、消去処理等に供することができる。
なお、自己書き込み型電子ペーパーＥＰに画像情報を表示保持させるには、画像データを電子ペーパーＥＰに受信させて表示部２に書き込み処理させればよい。
【００２４】
ここで、電子ペーパーＥＰは、通信部５、プロセッサ７、メモリ６等といった処理部３の機能部を選択的に纏めたクリップ式の装置を構成し、当該クリップ式の処理部装置３を表示部２に着脱可能に接続して設けるようにしてもよい。なお、このようなクリップ式の処理部装置３とした場合等において、電子ペーパーＥＰに備えるバッテリは外部の装置からの起電力を保持するコンデンサとするようにしてもよい。
また、電子ペーパーＥＰの表示部２としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００２５】
次に、表示媒体媒体として電子ペーパーＥＰを用いた本発明の実施例に係るフォルダ型データ処理装置を説明する。
なお、以下に説明する電子ペーパーＥＰは、実施例の構成に応じて上記機能部を取捨選択して設けられ、これら機能部により種々な実施態様に必要な機能を実現している。
【００２６】
図１には本例に係るフォルダ式データ処理装置３０とこれに束ねて保持される複数の電子ペーパーＥＰの機能構成を示してある。なお、電子ペーパーＥＰは代表して第１の電子ペーパーＥＰ１と第２の電子ペーパーＥＰ２とを示してある。
電子ペーパーＥＰは、表示部２、ドライバからなる書き込み部４、フォルダ式データ処理装置３０に端子接続してデータ通信を行う通信部５、コンテンツデータ等を記憶するメモリ６の他、プロセッサ７により構成されるデータ処理部２０を有しており、データ処理部２０によりコンテンツデータ等の送受信処理、受信したコンテンツデータの表示部２への書き込み表示処理、コンテンツデータの消去処理といった本発明に係る処理を制御して実行する。
【００２７】
フォルダ式データ処理装置３０は、フォルダに保持した電子ペーパーＥＰの通信部５に端子接続してデータ通信を行うフォルダ通信部３１、この通信部５と３１との接続を判定する接続判定部３２、フォルダに保持した電子ペーパーＥＰ間でのコンテンツデータの転送処理を行うデータ転送部３３、フォルダに保持した電子ペーパーＥＰ間でのコンテンツデータの同期消去処理を行うリンク処理部３４、電子ペーパーと送受信するコンテンツデータ等を記憶するメモリ３５、サムベイルや名称等のコンテンツ特定情報を画像表示するフォルダ表示部３６、電子データに基づいてフォルダ表示部への画像書き込み処理を行う表示処理部３７、ユーザからの操作入力を受け付ける操作部３８、受け付けたユーザ操作入力を判定して当該入力に応じた処理をデータ転送部３３やリンク処理部３４や表示処理部３７に行わせる入力判定部３９を備えている。
【００２８】
ここで、本例の表示処理部３７は、電子ペーパーＥＰから取得したコンテンツデータに基づいて当該コンテンツのサムネイル画像データを生成するサムネイル生成機能を有しており、ユーザ操作に応じて、フォルダ表示部３６にコンテンツのサムネイル画像を表示することができる。なお、電子ペーパーＥＰのメモリ６コンテンツデータと共に当該コンテンツのサムネイル画像データを保持させておき、フォルダ式データ処理装置３０が電子ペーパーからコンテンツデータと共にサムネイル画像データを取得するようにしてもよく、この場合にはサムネイル生成機能を省略することができる。
【００２９】
また、コンテンツを特定する情報としてコンテンツ名称を用いることもでき、この場合には、フォルダ式データ処理装置３０は、電子ペーパーからコンテンツデータと共に取得したコンテンツ名称データに基づいて、フォルダ表示部３６にコンテンツ名称を表示することができる。
なお、コンテンツを特定する情報はコンテンツを個々に識別し得る情報であればよく、また、コンテンツが複数ページを含んでいる場合にはこれら各ページについての特定情報を表示するようにする。
図１に示す例では、フォルダ式データ処理装置３０は電源としてのバッテリ４０を有しているが、フォルダ保持した電子ペーパーＥＰと電源端子接続して、当該電子ペーパーのバッテリ電源を利用して動作するようにしてもよい。また、この逆に、上記では電子ペーパーＥＰにバッテリ８を備えた例を示したが、電子ペーパーＥＰをフォルダ式データ処理装置３０のバッテリ４０からの電力で動作するようにしてもよい。
【００３０】
接続判定部３２は図２に示すような管理テーブルを有しており、複数の電子ペーパーＥＰと接続するためにフォルダ通信部３１が有する複数の端子について、いずれの端子に電子ペーパーＥＰが接続されているかを管理する。例えば、５つの端子が備えられている場合、１番目（一番上）から４番目までの端子にはそれぞれ電子ペーパーが接続され、５番目の端子は空き状態であることが管理される。
表示処理部３７によるコンテンツ特定情報の表示処理は管理テーブルを参照して行われ、フォルダ表示部３６には端子の順（すなわち、電子ペーパーが束ねられている順）にサムネイル画像等が表示される。
【００３１】
図３には本例に係るフォルダ式データ処理装置３０を表面側から示し、図４には当該フォルダ式データ処理装置３０を開いた状態で示してある。
フォルダ式データ処理装置３０は、表表紙部４１と裏表紙部４２とを背表紙部４３により拡開自在に接続した全体としてフォルダ形状を成している。表表紙部４１の表面はフォルダ表示部３６となっており、背表紙部４３にはユーザ操作を受け付ける操作ボタン（操作部）３８が設けられている。なお、操作部３８として、表示処理、データ転送処理、同期消去処理等の命令を受け付けるボタンに加えて、フォルダ表示部３６に表示されているサムネイル画像Ｓやコンテンツ名称等の特定情報を当該表示部３６におけるカーソルやハイライトの移動によってユーザに選択させる十字キーボタンが設けられている。
【００３２】
背表紙部４３は表示部３６以外の図１に示した諸機能部を備えており、複数枚の電子ペーパーを束ねた状態で保持するために、背表紙部４３には複数の係合部４４が設けられている。
図４に示す例では、各電子ペーパーＥＰの側辺には膨出形状の係合部５０が形成されており、背表紙部４３の係合部４４は当該膨出形状に対応した形状の溝として形成されている。すなわち、背表紙部４３の一端から電子ペーパーＥＰを差し込むことにより係合部同士を係合させて当該電子ペーパＥＰをフォルダに保持させることができ、また、当該電子ペーパーＥＰをフォルダから取り外すこともできる。
【００３３】
また、図５に示すように、背表紙部４３の係合部４４にはフォルダ通信部３１の接続端子３１ａが設けられ、電子ペーパーＥＰの係合部５０には通信部５の接続端子５ａが設けられている。
上記のように係合部同士を係合させて電子ペーパーＥＰをフォルダに保持させた状態では、接続端子５ａと３１ａとが接続し、当該電子ペーパーＥＰはフォルダ式データ処理装置３０と通信可能に接続される。
したがって、フォルダ式データ処理装置３０に束ねて保持された各電子ペーパーＥＰは、それぞれデータ処理機能を有する背表紙部４３に接続される。
【００３４】
このようにフォルダ式データ処理装置３０に電子ペーパーＥＰを保持させ、操作ボタン３８を操作すると、電子ペーパーＥＰが記憶しているコンテンツを特定する情報をフォルダ表示部３６に表示させることができる。
例えば、それぞれコンテンツＡ〜Ｅを記憶している５枚の電子ペーパーＥＰをフォルダ式データ処理装置３０に保持させて、サムネイル表示の指示を入力すると、表示処理部３７が、各電子ペーパーから取得したコンテンツデータに基づいてサムネイル画像データを生成して（或いは、各電子ペーパーからサムネイル画像データを取得して）、図６（ａ）に示すように、各電子ペーパーＥＰのコンテンツサムネイル画像Ｓをフォルダ表示部３６に各電子ペーパーＥＰの束ねられた順で一覧表示する。また、サムネイル画像の表示ではなく、各電子ペーパーから取得したコンテンツ名称データに基づいて、図６（ａ）に示すように、表示処理部３７が各電子ペーパーＥＰのコンテンツ名称をフォルダ表示部３６に各電子ペーパーＥＰの束ねられた順で一覧表示する。
【００３５】
また、フォルダ式データ処理装置３０は接続判定部３２により、フォルダに接続保持されている各電子ペーパーＥＰを管理しているので、接続保持されている電子ペーパーＥＰをフォルダから取り出すと、表示処理部３７が、当該取り出された電子ペーパーＥＰが記憶するコンテンツの特定情報をフォルダ表示部３６から消去する。例えば、図７（ａ）に示すように、それぞれコンテンツＡ〜Ｅを記憶している５枚の電子ペーパーＥＰがフォルダ式データ処理装置３０に保持されている状態では、各コンテンツＡ〜Ｅのサムネイル画像Ｓがフォルダ表示部３６に表示されているが、コンテンツＢを記憶する電子ペーパーＥＰをフォルダ式データ処理装置３０から取外すと、フォルダ表示部３６からコンテンツＢのサムネイル画像が消去される。
【００３６】
また、これとは逆に、電子ペーパーＥＰをフォルダの空いている係合部４４に係合させると、表示処理部３７が、当該追加された電子ペーパーＥＰが記憶しているコンテンツのサムネイル画像Ｓをフォルダ表示部３６に追加して表示する。例えば、図７（ｂ）に示すように、コンテンツＢの電子ペーパーＥＰを取外して空きとなった係合部４４にコンテンツＦを記憶した電子ペーパーＥＰを追加保持させると、当該コンテンツＦのサムネイル画像Ｓがフォルダ表示部３６に追加して表示される。
なお、上記のようにフォルダに接続保持されている各電子ペーパーＥＰがどの係合部４４に係合されているかが管理されているので、追加されたコンテンツＦのサムネイル画像Ｓは上記コンテンツＢのサムネイル画像が消去された位置に表示される。すなわち、フォルダに保持された電子ペーパーＥＰの順に対応した並び順でサムネイル画像Ｓが表示される。
【００３７】
また、電子ペーパーＥＰがメモリ６に複数ページからなるコンテンツデータを保持している場合には、表示処理部３７が、これらコンテンツデータの各ページのサムネイル画像をＳをフォルダ表示部３６に一覧表示する。例えば、図８（ａ）に示すように、メモリ６にページａ、ｂ、ｃのコンテンツデータを記憶している電子ペーパーＥＰ（なお、同図にはページａの画像を表示部２に表示保持している状態を示す）をフォルダ式データ処理装置３０に接続保持させ、操作部３８からページの一覧表示指示を入力すると、表示処理部３７が、同図（ｂ）に示すように、当該コンテンツデータの各ページａ、ｂ、ｃのサムネイル画像Ｓをフォルダ表示部３６に一覧表示する。
【００３８】
ここで、図８（ａ）に示すように、コンテンツデータを記憶していない白紙状態の電子ペーパーＥＰＨをフォルダの空いている係合部４４に係合させると、表示処理部３７が、同図（ｂ）に示すように、当該追加された電子ペーパーＥＰＨを示す枠画像ＲＳをフォルダ表示部３６に追加して表示する。すなわち、白紙状態の電子ペーパーＥＰＨを幾枚どの順で保持しているかもフォルダ表示部３６に表示される。
【００３９】
そして、例えば、操作部３８からのユーザ操作で、ページａのサムネイル画像Ｓと枠画像ＲＳとが選択されて、転送命令が入力されると、データ転送部３３が、電子ペーパーＥＰのメモリ６から取得してメモリ３９に保持しているページａ、ｂ、ｃのコンテンツデータから、ページａのコンテンツデータを枠画像ＲＳに該当する端子から送信する。この結果、枠画像ＲＳに対応する白紙状態の電子ペーパーＥＰＨでは、その通信部５からページａのコンテンツデータが入力されてメモリ６に記憶され、また、フォルダ表示部３６には選択された枠画像ＲＳがページａのサムネイル画像Ｓに変更されて表示される。
【００４０】
したがって、フォルダ表示部３６にサムネイル画像（或いはコンテンツ名やページ名称等の特定情報）で表示されたページ（或いはコンテンツ）と転送先とを選択して、転送命令を入力することで、フォルダに保持された電子ペーパー間でコンテンツデータを転送して複写或いは移動させることができる。
なお、転送先の電子ペーパーで受信したコンテンツデータに基づいて表示部２にコンテンツ画像を表示保持させるには、データ転送部３３がコンテンツデータと共に表示命令を送信し、、転送先の電子ペーパーでは、データ処理部２０が表示命令に従って書き込み部４に受信したコンテンツデータに基づくコンテンツ画像を表示部２に書き込ませればよい。
【００４１】
また、転送先の電子ペーパーＥＰは白紙状態でなくともよく、他のコンテンツデータを既に保持している電子ペーパーに一の電子ペーパーＥＰから取得したコンテンツデータを転送して記憶させるようにしてもよい。
この場合、フォルダ表示部３６に表示されている転送元のサムネイル画像Ｓと転送先のサムネイル画像Ｓとを選択して、上記のように転送命令を入力すればよい。
【００４２】
ここで、上記のような転送処理等により、フォルダ式データ処理装置３０が保持する複数枚の電子ペーパーＥＰ間で同じコンテンツデータが記憶されている状態が生ずる。
フォルダ式データ処理装置３０のリンク処理部３４は、図９に示すようなリンク管理テーブルを有しており、電子ペーパーＥＰがフォルダに保持されることによりデータ処理装置３０に読み出されるコンテンツデータをそれに付属されているコンテンツＩＤ（ページＩＤ）で識別して管理している。すなわち、電子ペーパが保持された係合部４４（すなわち、電子ペーパが接続した端子３１ａ）と、その電子ペーパーＥＰがメモリ６に記憶しているコンテンツデータのコンテンツＩＤとが対応付けて管理されている。
【００４３】
同じコンテンツＩＤで識別される同じコンテンツデータを記憶した複数枚の電子ペーパーＥＰがフォルダに保持されている状態では、例えば、図１０（ａ）に示すように、同じコンテンツａのサムネイル画像Ｓがフォルダ表示部３６に複数表示されるが、操作部３８からのユーザ操作で、これら同じサムネイル画像Ｓを少なくとも１つ選択して消去命令が入力されると、リンク処理部３４が、同じコンテンツＩＤのコンテンツを記憶している電子ペーパーＥＰへ消去命令を送信する。この結果、消去命令を受信した電子ペーパーＥＰでは、データ処理部２０がメモリ６に保持している該当するコンテンツデータを消去し、書き換え部４が表示部２に表示保持しているコンテンツ画像を消去する。
したがって、フォルダ表示部３６に表示されたサムネイル画像を選択して、消去命令を入力することで、フォルダに保持された電子ペーパー間で同じコンテンツデータを同期して消去することができる。
【００４４】
図１１（ａ）にはフォルダ式データ処理装置３０の他の例を分解した状態で示し、同図（ｂ）には当該フォルダ式データ処理装置３０を組み付けた状態で示してある。
本例のフォルダ式データ処理装置３０は、主要な処理機能を有する背表紙部４３に一対の爪部４３ａを設けて、複数枚の電子ペーパーＥＰの束を爪部４３ａによって上下から挟んで保持できるようにしたものである。そして、本例のフォルダ式データ処理装置３０は、自己書き換え型電子ペーパーＥＰＡをフォルダ表示部３６として利用しており、コンテンツを記憶している電子ペーパーＥＰに束の最上面に表示部用の電子ペーパーＥＰＡを重ねて爪部４３ａにより背表紙部４３に保持する。
【００４５】
表示部用の電子ペーパーＥＰＡには、爪部４３ａで挟まれることにより、背表紙部４３の通信部３１に端子接続する端子５１が設けられており、表示部用の電子ペーパーＥＰＡは背表紙部４３の表示処理部３７によって表示部２にサムネイル画像等の書き込みがなされる。したがって、電子ペーパーＥＰＡを利用することで、フォルダ式データ処理装置３０自体としては小型化される。
なお、電子ペーパーＥＰの束と背表紙部４３とは、それぞれの通信部５、３１の無線通信機能により接続され、上記のようなデータ通信がなされる。
【図面の簡単な説明】
【００４６】
【図１】本発明の一実施例に係るデータ処理装置及び電子ペーパーの機能構成を示す図である。
【図２】本発明の一実施例に係る管理テーブルを説明する図である。
【図３】本発明の一実施例に係るデータ処理装置を示す図である。
【図４】本発明の一実施例に係るデータ処理装置をフォルダを開いた状態で示す図である。
【図５】本発明の一実施例に係るデータ処理装置の電子ペーパーとの接続部を示す図である。
【図６】本発明の一実施例に係るデータ処理装置のコンテンツ特定情報の表示を説明する図である。
【図７】本発明の一実施例に係るデータ処理装置のコンテンツ特定情報の表示処理を説明する図である。
【図８】本発明の一実施例に係るデータ処理装置のコンテンツデータ転送処理を説明する図である。
【図９】本発明の一実施例に係るリンク管理テーブルを説明する図である。
【図１０】本発明の一実施例に係るデータ処理装置のコンテンツデータ同期消去処理を説明する図である。
【図１１】本発明の一実施例に係るデータ処理装置の他の例を示す図である。
【図１２】自己書き換え型電子ペーパーを示す図である。
【図１３】自己書き換え換え型電子ペーパーの動作原理を説明する図である。
【図１４】自己書き換え型電子ペーパーの構造を説明する図である。
【符号の説明】
【００４７】
ＥＰ：電子ペーパー（表示記録媒体）、ＥＰＡ：表示部用電子ペーパー、
２：表示部、  ３：処理部、
４：ドライバ、  ５：通信部、
６：メモリ、  ７：プロセッサ、
８：バッテリ、  ２０：データ処理部、
３０：データ処理装置、  ３１：フォルダ通信部、
３２：接続判定部、  ３３：データ転送部、
３４：リンク処理部、  ３６：フォルダ表示部、
３７：表示処理部、  ３８：操作部、
Ｓ：サムネイル画像、
【図１】
2006039834.tif 000003
【図２】
2006039834.tif 000004
【図３】
2006039834.tif 000005
【図４】
2006039834.tif 000006
【図５】
2006039834.tif 000007
【図６】
2006039834.tif 000008
【図７】
2006039834.tif 000009
【図８】
2006039834.tif 000010
【図９】
2006039834.tif 000011
【図１０】
2006039834.tif 000012
【図１１】
2006039834.tif 000013
【図１２】
2006039834.tif 000014
【図１３】
2006039834.tif 000015
【図１４】
2006039834.tif 000016